(57)【要約】      （修正有）【課題】高齢者に苦痛が無く、高層ビル等でのベランダ物干し高さ制限に対応し、急な降雨時など至急な取り込みも可能な物干し具を提供する。【解決手段】高さを低目に抑えたポール型のスタンド物干し具であり、この物干し具の先端に取り付けるハンガーを吊るすホルダー１は金属パイプが両側のホルダー板部を支持する構造とする。ハンガー板部にはリブと大小の厚みのハンガーを吊るすことのできる大小の穴を、ホルダー１は取り外して物干し竿に掛けることのできる回転自在のフックと、ポール型スタンド上で回転自在かつ脱着可能なポール２とホルダーのジョイントを備える。ジョイントは金属パイプをポール２の径の略中心上に装着してホルダーの荷重を支える構造とする。この物干し具を２個使用し、両端にフックを装着した伸縮可能な横桟４を平行に取り付けることができる。横桟４には不使用時に縮めて物干し竿やホルダーに掛けて収納可能な保持具５を備える。【選択図】図１
2016129651.tif 000002
【特許請求の範囲】
【請求項１】
高さを低目に抑えたポール型のスタンド物干し具であり、この物干し具のポールの先端に取り付けるハンガーを吊るすホルダーは大きな荷重を支える金属パイプ９が両側のホルダー板部７を支持する構造とし、ホルダー板部７には横偏りを防ぐリブ１２を備えるとともに大小の厚みのハンガーの横偏りを防ぎながら吊るすことのできる大小の穴１０および１１を備え、ホルダー１は取り外して物干し竿に掛けることのできる回転自在のフック６を備えると共にポール型スタンド上では回転自在かつ脱着可能なポール２とハンガーのホルダー１のジョイント８を備え、ジョイント８は金属パイプ９をポール２の径の略中心上に装着してホルダーの荷重を支える構造とする。
この耐荷重の大きなポール型スタンド物干し具を２個使用し、リブ１２の効果で両端にフックを装着した伸縮可能な横桟４を一定距離に保って平行に取り付けることができ、横桟４には不使用時に縮めて物干し竿やホルダーに掛けて収納可能な保持具５を備える。これらの構造を特徴とするポール型のスタンド物干し具。
【請求項２】
〔請求項１〕の単体のポール型スタンド物干し具。
【請求項３】
〔請求項１〕の不使用時に縮めて物干し竿やホルダーに掛けて収納可能な保持具５を備える伸縮可能な横桟。
【請求項４】
〔請求項１〕の金属パイプ９とハンガーのホルダー１の一体型スタンド物干し具。
【発明の詳細な説明】
【技術分野】  物干し具【０００１】  本発明は、ポール型スタンド物干し具に関するものである。
【背景技術】
【０００２】  従来には、実案平４−３６９９５、特開２００６−１９２２０５、特開２００６−２８０８７２等が開示されている。
【発明が解決しようとする課題】
【０００３】１）高齢者は腰が弱くなり、上を向いて物干し作業をすることが苦痛になるので高さの低い物干し具が必要になる。また、高層ビル等ではベランダでの物干しに高さ制限がある所もあり高さの低い物干し具が必要になる。また、梅雨の時期等では室内で物干し作業をする必要に迫られることがあるが、高さが低く室内や戸外で両用可能な適当な物干し具が求められる。さらに、急な降雨時などでは至急な取り込みが必要になるが物干し部だけを取り外して室内に持ち込める物干し具が便利である。他にシーツやバスタオルなので大きな洗濯物を干す必要がある。
これらの要求を満たすには物干し竿に匹敵する強度を持ち、シーツ等の大きな洗濯物も同時に干せる高さの低い物干し具が不可欠となる。
【０００４】２）実案平４−３６９９５ではハンガーに掛けた物干し等は干すことが難しいという課題がある。また、シーツ等の大きな洗濯物は干すことができないという課題もある。
【０００５】３）特開２００６−１９２２０５は、図１に小さなフックらしきものが見受けられるが、用途が不明である。仮に脱着が可能であったとしてもピンチの付いた物干し具であり重量のある物干しには対応できない。また、物干しの本体部分は放射線上のアームであり、物干し場の面積を多く必要とする課題がある。しかし、使う面積に対してシーツ等の大きな洗濯物は干すことができないという課題がある。
【０００６】４）特開２００６−２８０８７２は横桟を使って物干し場を有効に使うことを開示している。シーツ等の大きな洗濯物は干すことができるが、この方式では衣服を吊るしたハンガーを横桟と平行に同時に掛けて干すことができる機能が示されておらず、大きなシーツ等を干す時以外には邪魔になるという課題がある。また、スタンド物干し具でないため、物干し竿がある所でしか使用できず、室内戸外の兼用はし難いという課題もある。
【０００７】  本発明は、上記従来のポール型スタンド物干し具における上述の問題を解決しようとしてなされたものである。
【課題を解決するための手段】
【０００８】１）高さを低目に抑えたポール型のスタンド物干し具であり、高さは１２０ｃｍ程度が望ましい。この物干し具のポールの先端に取り付けるハンガーを吊るすホルダーは大きな荷重を支える金属パイプ９が両側のホルダー板部７を支持する構造とし、ハンガー板部には横偏りを防ぐリブ１２を備えるとともに大小の厚みのハンガーの横偏りを防ぎながら吊るすことのできる大小の穴１０および１１を備え、ホルダー１は取り外して物干し竿に掛けることのできる回転自在のフック６を備えると共にポール型スタンド上では回転自在かつ脱着可能なポールとホルダーのジョイント８を備え、ジョイント８は金属パイプ９をポール２の径の略中心上に装着してホルダーの荷重を支える構造とする。
この耐荷重の大きなポール型スタンド物干し具を２個使用し、リブ１２の効果で両端にフックを装着した伸縮横桟４は一定距離を保って平行に取り付けることができ、伸縮横桟４には不使用時に縮めて物干し竿やホルダーに掛けて収納可能な保持具５を備える。
これらの構造を特徴とするポール型のスタンド物干し具（請求項１）を提供する。
【０００９】２）シーツ等の大きな洗濯物を干さない場合は、〔請求項１〕の単体のポール型スタンド物干し具を提供することで解決する（請求項２）。
【００１０】３）〔請求項１〕の伸縮横桟４の不使用時には邪魔にならないように縮めて物干し竿やホルダーに掛けて収納可能な保持具５を備える伸縮横桟を提供することで解決する（請求項３）。
【００１１】  ４）ハンガーのホルダー１はポール２先端の径の略中心上に装着するので一定の耐荷重強度がある。しかし、ホルダーには横桟等もかかるがこれに対応する強度があれば金属パイプ９とハンガーを吊るすホルダーが一体なったスタンド物干し具でも良い。
【作用】
【００１２】  一番強度のあるポール２の径の略中心上に装着してハンガーのホルダー１の荷重を支える構造とすることで、一定の荷重に耐える構造となり、荷重の掛かる多岐の使用方法が可能になる。また、２個のポール型スタンドを使用して伸縮横桟４と併用することで、室内は無論、場所の狭いベランダでも幅広の洗濯物の物干し作業をハンガーに掛けた洗濯物と同時に干せるようになる。
【発明の効果】
【００１３】  高さの低いポール型のスタンド物干し具の提供で高齢者や高層ビル等のベランダで物干しに高さ制限がある所でも使用を可能にし、ハンガーに掛けた洗濯物と同時に幅広の洗濯物も干せるので、物干し場の面積を有効に利用できるようになる。
【発明を実施するための形態】
【実施例】
【００１４】一実施例を説明する。
１）〔請求項１〕の物干し具は図１のような構成のポール型スタンド物干し具であり、ポール先端には図３のハンガーのホルダー１を装着する。このホルダーのハンガー吊り部の穴幅は１０ｍｍと５ｍｍの２種類となっている。このホルダーには両端にフックの付いた伸縮可能な３段式の伸縮横桟４が脱着可能に取り付けられる。この伸縮横桟４は保持具５で最太管と中管のジョイント部４ａを止める構造として、不使用時には８０ｃｍ程度に短く縮めてホルダー１に掛けて収納する。また、急な取り込みが必要になった場合は、ホルダー１ごと洗濯物を取り込むことができる。【００１５】２）ハンガーのホルダー１の金属パイプ９は、ポール２の最も強いパイプ径の略中心上に載せるように装着するため高い耐荷重力が期待できるので、一定の洗濯物の荷重や横桟の荷重に耐えることができる。ホルダー板部７に掛かる洗濯物の荷重と横桟に掛けたシーツなどの水を含んだ重い洗濯物を同時に干すことができる。【００１６】３）ホルダー板部７に掛かるハンガーや横桟は取替え式のため、全てにシーツを掛ければハンガーの洗濯物は掛けられず、ハンガーのホルダー１に掛かる荷重を自動的に調節する。【００１７】４）ホルダー板部７にはハンガーや横桟のフック部が横偏りを防ぐリブ１２を備えているので、フック間の距離を略平行かつ一定に保つため、洗濯物の乾きを均等にする。【００１８】ハンガーのホルダー１はポールに対して脱着可能なため、ホルダー１をスタンドから外して物干し竿に掛けた物干し具としても使用可能であるが、物干し竿に２個使用して横桟をかけることは可能であるが、荷重の大きな洗濯物を干すことは望ましくない。【００１９】  このポール型スタンド物干し具は単体でも図２のように物干し具として使用ができる（請求項２）。【００２０】  大きな幅の洗濯物は常に干すわけではないので、不使用時には横桟は邪魔になる。そこで、横桟を短く縮めて固定具５で固定することで、物干し竿やホルダーに吊るして収納することができる（請求項３）。【００２１】  金属パイプ９とハンガーを吊るすホルダーが強度を保つ素材や構造であれば一体なった構造でも構わない。
【図面の簡単な説明】
【００２２】
【図１】  ポール型物干し具を連結した斜視図
【図２】  ポール型物干し具の斜視図
【図３】  ハンガーのホルダー斜視図
【符号の説明】
【００２３】１    ハンガーのホルダー              ２    ポール
３    脚部                            ４    伸縮横桟
４ａ  最太管と中太管のジョイント      ５    横桟を縮めた時の保持具
６    ホルダーのフック                ７    ホルダー板部
８    ポールとホルダーのジョイント    ９    金属パイプ
１０  ハンガーのホルダー大穴          １１  ハンガーのホルダー小穴
１２  ハンガー横偏り防止リブ
【図１】
2016129651.tif 000003
【図２】
2016129651.tif 000004
【図３】
2016129651.tif 000005